(57)【要約】【課題】ナビ装置におけるスポット抽出の利便性の向上を図ることができるサーバ等を提供する。【解決手段】複数のスポットから第２スポット群を抽出するための検索条件の一部（第１検索条件）が端末装置２００を通じて設定される。その一方、複数のスポットから第２スポット群を抽出するためのその他の検索条件（第２検索条件）がナビ装置３００を通じて設定される。【選択図】  図３
2011175370.tif 000002
【特許請求の範囲】
【請求項１】
複数のスポットと、当該複数のスポットのそれぞれの属性とを認識すると共に、前記複数のスポットのうち、端末装置との通信に基づき、前記端末装置に対して入力された前記第１検索条件を認識した上で、当該第１検索条件を満たす属性を有するスポットを第１スポット群として抽出するように構成されている第１支援演算処理要素と、
ナビ装置との通信に基づき、前記ナビ装置に対して入力された前記第１検索条件とは異なる第２検索条件を認識した上で、前記第１スポット群のうち、当該第２検索条件を満たす属性を有するスポットを第２スポット群として抽出した上で、当該第２スポット群を前記ナビ装置に出力させるように構成されている第２支援演算処理要素とを備えていることを特徴とするナビサーバ。
【請求項２】
請求項１記載のナビサーバにおいて、
第２支援演算処理要素は、前記ナビ装置に付属する位置測定装置から当該ナビ装置に入力された、前記ナビ装置の位置を前記第２検索条件のうち少なくとも一部として認識した上で、前記第１スポット群のうち、前記第２検索条件をさらに満たすような位置または地域属性を有するスポットを前記第２スポット群として抽出するように構成されていることを特徴とするナビサーバ。
【請求項３】
請求項１及び２のうちいずれか１つに記載のナビサーバと、前記端末装置と、前記ナビ装置とにより構成されていることを特徴とするナビシステム。
【発明の詳細な説明】
【技術分野】
【０００１】
本発明は、ナビ装置との通信機能を有するナビサーバ等に関する。
【背景技術】
【０００２】
従来、ナビゲーション装置（以下、ナビ装置という）を通じてナビゲーションサーバ（以下、ナビサーバという）にアクセスしたユーザによって入力された条件を満たす目的地を検索してリストアップした上で、目的地を設定する技術的手法が提案されている。たとえば、あらかじめパーソナルコンピュータ等の端末機器により設定された目的地の情報がナビ装置に送信される技術的手法が提案されている（例えば、特許文献１参照）。
【先行技術文献】
【特許文献】
【０００３】
【特許文献１】特開２００２−４８５５８号公報
【発明の概要】
【発明が解決しようとする課題】
【０００４】
しかし、ユーザが選択したいと考える店舗や施設等の目的地候補としてのスポットまたはPOI（Point of Interest）は、ユーザの環境の変化などの流動的な因子に応じて変化する。
【０００５】
そこで、本発明は、ナビ装置におけるスポット抽出の利便性の向上を図ることができるサーバ等を提供することを目的とする。
【課題を解決するための手段】
【０００６】
前記課題を解決するための本発明のナビサーバは、複数のスポットと、当該複数のスポットのそれぞれの属性とを認識すると共に、前記複数のスポットのうち、端末装置との通信に基づき、前記端末装置に対して入力された前記第１検索条件を認識した上で、当該第１検索条件を満たす属性を有するスポットを第１スポット群として抽出するように構成されている第１支援演算処理要素と、ナビ装置との通信に基づき、前記ナビ装置に対して入力された前記第１検索条件とは異なる第２検索条件を認識した上で、前記第１スポット群のうち、当該第２検索条件を満たす属性を有するスポットを第２スポット群として抽出した上で、当該第２スポット群を前記ナビ装置に出力させるように構成されている第２支援演算処理要素とを備えていることを特徴とする。
【０００７】
本発明のナビサーバによれば、複数のスポットから第２スポット群を抽出するための検索条件の一部（第１検索条件）が端末装置を通じて設定される。このため、すべての検索条件がナビ装置に入力される場合と比較して、ナビ装置における検索条件の入力の負担が軽減される。
【０００８】
その一方、複数のスポットから第２スポット群を抽出するためのその他の検索条件（第２検索条件）がナビ装置を通じて設定される。このため、すべての検索条件が端末装置に入力される場合と比較して、ナビ装置を利用するユーザの環境などの因子の変化に応じて、検索条件が流動的に設定されうる。
【０００９】
その結果、ナビ装置におけるスポット抽出の利便性の向上を図ることができる。
【００１０】
第２支援演算処理要素は、前記ナビ装置に付属する位置測定装置から当該ナビ装置に入力された、前記ナビ装置の位置を前記第２検索条件のうち少なくとも一部として認識した上で、前記第１スポット群のうち、前記第２検索条件をさらに満たすような位置または地域属性を有するスポットを前記第２スポット群として抽出するように構成されていてもよい。
【００１１】
当該構成のナビサーバによれば、すべての検索条件が端末装置に入力される場合と比較して、ナビ装置を利用するユーザの位置または地域属性の変化に応じて、検索条件が流動的に設定されうる。
【００１２】
その結果、ナビ装置におけるスポット抽出の利便性の向上を図ることができる。
【００１３】
この結果、当該構成を備えるナビサーバによれば、ナビ装置の位置情報を考慮することにより車両の走行環境の変化に応じて、目的地を決定させうる目的地候補のリスト作成の利便性を向上させうる。
【００１４】
前記課題を解決するための本発明のナビシステムは、前記ナビサーバと、前記端末装置と、前記ナビ装置とにより構成されていることを特徴とする。
【００１５】
本発明のナビシステムによれば、すべての検索条件が端末装置に入力される場合と比較して、ナビ装置を利用するユーザの環境などの因子の変化に応じて、検索条件が流動的に設定されうる。その結果、ナビ装置におけるスポット抽出の利便性の向上を図ることができる。
【図面の簡単な説明】
【００１６】
【図１】本発明のナビシステムの構成図。
【図２】本発明のナビシステムの機能説明図。
【図３】出力画像の例示図。
【発明を実施するための形態】
【００１７】
（本発明のナビシステムの構成）
本発明の一実施形態としてのナビシステムの構成について説明する。
【００１８】
図１に示されているナビシステムは、ナビサーバ１００と、端末装置２００と、車両３に搭載されているナビ装置３００とにより構成されている。なお、ナビ装置３００のうち一部または全部が車両３から取り外して持ち運びできる携帯型の機器により構成されていてもよい。
【００１９】
ナビサーバ１００は、ネットワークを介したナビ装置３００および端末装置２００のそれぞれとの通信機能を有し、一または複数のサーバコンピュータにより構成されている。通信ネットワークとしては、インターネット、電話回線用ネットワークまたは衛星放送を用いた通信ネットワークなどが採用されうる。
【００２０】
ナビサーバ１００は、データベース１０１と、第１支援演算処理要素１１０と、第２支援演算処理要素１２０とを備えている。
【００２１】
データベース１０１は、メモリ、ＨＤＤまたはＳＳＤなどの記憶装置により構成されている。データベース１０１は、スポットおよび当該スポットの属性を関連付けて保存する。スポットの「属性」とは、スポットのカテゴリー（百貨店、飲食店、娯楽施設など）、営業時間および所在地（緯度、経度）等の属性を意味する。データベース１０１は、後述する第１スポット群および第２スポット群を、端末装置２００またはナビ装置３００を通じてネットワーク経由で閲覧可能な状態で保存する。
【００２２】
また、データベース１０１は、道路の配置態様を表わす「地図情報」のほか、道路の構成要素としてのリンクごとに通行コストの高低を表わす、車両３に搭載されているナビ装置３００による経路探索に際して利用される「交通情報」を保存する。
【００２３】
第１支援演算処理要素１１０および第２支援演算処理要素１２０のそれぞれはコンピュータのハードウェア資源としてのプロセッサおよびメモリにより構成されている。第１支援演算処理要素１１０および第２支援演算処理要素１２０のそれぞれは、一部または全部が共通のハードウェア資源により構成されていてもよく、全部が別個のハードウェア資源により構成されていてもよい。
【００２４】
第１支援演算処理要素１１０は、端末装置２００との通信により、当該端末装置２００に入力された「第１検索条件」を認識するように構成されている。第１支援演算処理要素１１０は、データベース１０１に保存されている複数のスポットのうち、当該第１検索条件を満たす属性を有する一または複数のスポットを「第１スポット群」として認識するように構成されている。
【００２５】
第２支援演算処理要素１２０は、ナビ装置３００との通信により、当該ナビ装置３００に入力された第２検索条件を認識するように構成されている。第２支援演算処理要素１２０は、データベース１０１に保存されている第１スポット群のうち、当該第２検索条件をみたす一または複数のスポットを「第２スポット群」として認識するように構成されている。
【００２６】
端末装置２００は、ディスプレイへの画像表示機能を有するパソコン、携帯電話機、ＰＤＡ等である。端末装置２００は、端末入力装置２０１と、端末出力装置２０２と、端末演算処理要素２１０とを備えている。
【００２７】
端末入力装置２０１は、キーボード、タッチパネルやマウス等のボタンにより構成されており、ユーザの操作により種々の設定を可能とする。
【００２８】
端末出力装置２０２は、パソコン、携帯電話機、ＰＤＡ等のディスプレイ装置であり、スポット情報や当該情報を検索する際の条件等の種々の情報を表示または出力する。
【００２９】
端末演算処理要素２１０は、ナビサーバ１００との通信に基づき、スポット情報を検索する際の条件を認識すると共に、ナビサーバ１００に対して、端末入力装置２０１にユーザにより入力された第１検索条件および第２検索条件の種々の情報を認識させるように構成されている。
【００３０】
なお、ハードウェアとしての構成要素が情報を「認識する」とは、当該構成要素が情報を受信および送信すること、情報をデータベースやメモリから探索または読み出すこと、受信等した基礎情報に基づいて演算処理によって情報を算定、推定、設定、決定、探索等すること、パケットをデコードして情報を顕在化させること、さらには算定等した情報をメモリに保存すること等、他の情報処理のために当該情報を準備しておくためのあらゆる情報処理を実行することを意味する。
【００３１】
また、ハードウェアとしての構成要素が情報を「出力する」とは、当該情報の表示、音声出力、振動出力等、人間がその視覚、聴覚、触覚等、五感を通じて認識しうるあらゆる形態で情報を出力することを意味する。
【００３２】
ナビ装置３００は、ナビ入力装置３０１と、ナビ出力装置３０２と、ナビ演算処理要素３１０とを備えている。ナビ入力装置３０１は、ユーザの音声指示を認識する音声認識装置、ユーザの指または手により操作されるボタンまたはダイヤルなどにより構成されている。当該操作ボタンによる種々の設定は、直感的な操作を可能とするために、プルダウンメニューによる入力が採用されている場合が多い。ナビ出力装置３０２は、車両３のセンターコンソール等に配置されたディスプレイ装置等により構成されている。
【００３３】
ナビ演算処理要素３１０は、車両３の現在位置を認識した上で、ナビサーバ１００に送信するように構成されている。車両３の現在位置はＧＰＳのほか、必要に応じて車両３の加速度に応じた信号を出力する加速度センサを用いて測定されうる。位置は、緯度および経度（２次元座標値）のほか、緯度、経度および高度（３次元座標値）によって表わされてもよい。
【００３４】
また、ナビ演算処理要素３１０は、ナビサーバ１００との通信に基づき、スポット情報を検索する際の条件を認識すると共に、ナビ入力装置３０１に入力された第２検索条件などをナビサーバ１００に認識させるように構成されている。
【００３５】
さらに、ナビ演算処理要素３１０は、ナビサーバ１００との通信により交通情報を認識した上で、交通情報を用いて車両３の現在位置から目的位置に至るまでの経路を探索するように構成されている。
【００３６】
（本発明のナビシステムの機能）
前記構成のナビシステムの機能について、ナビサーバ１００の機能に主眼を置きながら説明する。
【００３７】
まず、端末装置２００では、所定のアプリケーションの起動に応じて、端末出力装置２０２に検索サービスを閲覧する際の初期画面が表示され、この初期画面に従って、ユーザによるログイン操作が実行される（図２／ＳＴＥＰ２００）。具体的には、端末入力装置２０１を通じてパスワードおよびユーザＩＤ等の「認証子」が入力される。当該認証子は、端末装置２００からナビサーバ１００に送信される（図２／矢印１０参照）。
【００３８】
これに応じて、ナビサーバ１００の第１支援演算処理要素１１０は、検索サービスの使用許可のための、ユーザの「認証処理」を実行する（図２／ＳＴＥＰ１００）。具体的には、第１支援演算処理要素１１０は、当該認証子が所定のデータベースまたはメモリ等の記憶装置に登録または保存されているか否かによって、当該ユーザを認証する。なお、認証処理に失敗した場合、すなわち、認証子が誤っている場合、以降の処理の実行が禁止される。
【００３９】
そして、第１支援演算処理要素１１０は、端末装置２００にユーザが認証されたことを示す指定の信号を送信する（図２／矢印１１参照）。
【００４０】
当該指定の信号に応じて、端末装置２００では、端末出力装置２０２に、検索サービスにおいて第１検索を行うための第１検索条件の設定画面が表示される。これにより、たとえば、図３（ａ）に示されているように、「キーワード」「エリア」「ジャンル」「予算」および「シーン」など、スポットの属性を設定可能な画面が端末出力装置２０２に表示される。この画面に従って、ユーザによる端末入力装置２０１の操作を通じて「第１検索条件」が入力される（図２／ＳＴＥＰ２０２）。たとえば、「ジャンル」として「ラーメン」が選択される等、当該属性のうち少なくとも１つが第１検索条件として設定される。第１検索条件は、端末演算処理要素２１０により端末装置２００からナビサーバ１００に送信される（図２／矢印１２参照）。
【００４１】
ナビサーバ１００では、第１支援演算処理要素１１０により「第１検索条件」が認識され、複数のスポットのうち、第１検索条件を満たす属性に関連付けられてデータベース１０１に格納されているスポットが「第１スポット群」が抽出される（図２／ＳＴＥＰ１０２）。第１支援演算処理要素１１０により、当該第１スポット群を表わすデータがナビサーバ１００から端末装置２００に送信される（図２／矢印１３参照）。
【００４２】
当該第１スポット群を受信した端末装置２００では、端末出力装置２０２に「第１スポット群」が表示される（図２／ＳＴＥＰ２０４）。これにより、たとえば、図３（ｂ）に示されているように、第１検索条件としての「ラーメン（ジャンル）」、「〜２０００（予算）」および「おしゃれなお店（シーン）」という属性を有する、Ａ飯店○○店などの複数のスポットが端末出力装置２０２に表示される。
【００４３】
そして、ナビサーバ１００がナビ装置３００に当該第１スポット群を表わすデータを送信することの可否選択ボタンが端末出力装置２０２に表示され、端末演算処理要素２１０により当該許可がされるか否かが判定される（図２／ＳＴＥＰ２０６）。
【００４４】
当該送信が許可された場合（図２／ＳＴＥＰ２０６‥ＹＥＳ）、端末演算処理要素２１０は、第１スポット群を表わすデータの送信許可を示す指定の信号を端末装置２００からナビサーバ１００に送信する（図２／矢印２１参照）。これに応じて、ナビサーバ１００の第１支援演算処理要素１１０は、データベース１０１に、「第１スポット群」を格納した状態で、ナビ装置３００からログインがされるまで待機する。
【００４５】
一方、ナビ装置３００では、所定のアプリケーションの起動に応じて、ナビ出力装置３０２に検索サービスを閲覧する際の初期画面が表示され、この初期画面に従って、ユーザによるログイン操作が実行される（図２／ＳＴＥＰ３００）。具体的には、ナビ入力装置３０１を通じてパスワードやユーザＩＤ等の「認証子」が入力される。当該認証子は、ナビ装置３００からナビサーバ１００に送信される（図２／矢印２０参照）。
【００４６】
これに応じて、ナビサーバ１００の第１支援演算処理要素１１０は、検索サービスの使用許可のための、ユーザの「認証処理」を実行する（図２／ＳＴＥＰ１００）。具体的には、第１支援演算処理要素１１０は、当該認証子が所定のデータベースまたはメモリ等の記憶装置に登録または保存されているか否かによって、当該ユーザを認証する。なお、認証処理に失敗した場合、すなわち、認証子が誤っている場合、以降の処理の実行が禁止される。
【００４７】
認証処理に成功した場合（図２／矢印２１参照）、第１支援演算処理要素１１０は、第１スポット群の送信許可を示す指定の信号が送信されているか否かを判定する（図２／ＳＴＥＰ１０４）。
【００４８】
送信許可を示す指定の信号が送信されていた場合（図２／ＳＴＥＰ１０４‥ＹＥＳ）、第１支援演算処理要素１１０は、データベース１０１に格納されている「第１スポット群」をナビサーバ１００から、認証処理実行時の認証子に対応するナビ装置３００に送信する（図２／矢印２２参照）。
【００４９】
当該第１スポット群を受信したナビ装置３００では、ナビ出力装置３０２に「第１スポット群」が表示される（図２／ＳＴＥＰ３０４）。なお、第１スポット群のナビ装置３００における表示形態は、端末装置２００における表示形態（図３（ｂ）参照）と異なっていてもよい。また、第１スポット群のナビ装置３００における表示は省略されてもよい。
【００５０】
ここで、第２検索条件の入力要否が判定される（図２／ＳＴＥＰ３０５）。たとえば、第２検索条件の入力の要否を尋ねる旨のメッセージがナビ出力装置３０２を通じて出力される。そして、ユーザによるナビ入力装置３０１の操作を通じて、第２検索条件の入力要否が判定される。第２検索条件の入力要否を確認するためのＹＥＳボタンおよびＮＯボタンなどのオプションが、ナビ入力装置３０１を構成するタッチスクリーン式の操作ボタンとして、ナビ出力装置３０２に出力または表示されてもよい。
【００５１】
そして、第２検索条件の入力が必要であると判定された場合（図２／ＳＴＥＰ３０５‥ＹＥＳ）、ナビ装置３００に「第２検索条件」が入力される（図２／ＳＴＥＰ３０６）。たとえば、ナビ装置３００に付属する位置測定装置により測定されるナビ装置３００または車両３の現在位置に加えて、ユーザによりナビ装置３００の現在位置を基準とした属性が第２検索条件としてナビ装置３００に入力される。ナビ装置３００の現在位置を基準としたスポットの属性には、当該現在位置が含まれる行政区画、現在位置からの移動コスト（走行距離、燃料消費量、道路料金、上り坂および下り坂の頻度、ならびに、天候または気温などの走行環境の良否など）の種類および移動コストが収まるべき指定範囲などが含まれる。
【００５２】
なお、第２検索条件の設定画面がナビ出力装置３０２において表示され、この画面に従って、ユーザによりナビ入力装置３０１に第２検索条件が入力されてもよい。ナビ装置３００の現在位置に依存した検索条件を第２検索条件に含ませるか否かが、ユーザによって選択可能とされていてもよい。第２検索条件は、ナビ演算処理要素３１０によりナビ装置３００からナビサーバ１００に送信される（図２／矢印２３参照）。
【００５３】
これに応じて、ナビサーバ１００では、第２支援演算処理要素１２０により「第２検索条件」が認識された上で、第１スポット群のうち、第２検索条件を満たす属性をさらに有する「第２スポット群」が抽出される（図２／ＳＴＥＰ１０６）。
【００５４】
たとえば、車両３の現在位置ｐ１及び「第１スポット群」としての一または複数の目的地候補の位置ｐ２が認識される。そして、データベース１０１に格納されている「地図情報」および「交通情報」に基づき、現在位置ｐ１及びそれぞれの目的地候補の位置ｐ２を結ぶ予測移動所要時間、移動距離、移動料金（道路使用料金）若しくは予測消費燃料又はこれらの最小値が移動コストとして計算される。移動コストの種類または指定範囲は第２検索条件の一部として、ユーザにより設定されうる。
【００５５】
そして、当該移動コストが指定範囲内にあるという「第２検索条件」を満たす属性を有するスポットが「第２スポット群」として抽出される。第２支援演算処理要素１２０により、当該第２スポット群のデータがナビサーバ１００からナビ装置３００に送信される（図２／矢印２４参照）。
【００５６】
これに応じて、ナビ装置３００では、ナビ出力装置３０２に「第２スポット群」が表示される（図２／ＳＴＥＰ３０８）。これにより、図３（ｃ）に示されているような、第２スポット群が掲載されている画面がナビ出力装置３０２において表示される。
【００５７】
ナビ装置３００において、第２スポット群のうち１つが目的地として選択された場合、第１支援演算処理要素１１０によって現在位置および当該目的地を結ぶ経路であって、移動コストが最小となる一の経路が誘導経路として探索される。そして、第２支援演算処理要素１２０によって当該誘導経路がナビ出力装置２０２において出力される。
【００５８】
一方、第２検索条件の入力が不要であると判定された場合（図２／ＳＴＥＰ３０５‥ＮＯ）、第２スポット群は抽出されない。この場合、ナビ装置３００において、第２スポット群ではなく、第１スポット群（図２／ＳＴＥＰ３０４参照）のうち１つが目的地として選択されたことに応じて、第１支援演算処理要素１１０によって現在位置および当該目的地を結ぶ経路であって、移動コストが最小となる一の経路が誘導経路として探索される。そして、第２支援演算処理要素１２０によって当該誘導経路がナビ出力装置２０２において出力される。
【００５９】
なお、端末装置２００に入力された第２検索条件に応じて第２スポット群が抽出されてもよい。具体的には、第１スポット群の送信が許可されなかった場合（図２／ＳＴＥＰ２０６‥ＮＯ）、ユーザの出発位置を入力するためのユーザ出発位置の入力画面と第２検索条件の設定画面とが表示され、この画面に従って、ユーザにより端末入力装置２０１を通じて出発位置と第２検索条件とが入力される（図２／ＳＴＥＰ２０８）。
【００６０】
出発位置の入力画面と第２検索条件の設定画面とは、別個の画面として異なるタイミングで表示されてもよく、共通の画面として同時に表示されてもよい。入力されたユーザの出発位置と第２検索条件とは、端末演算処理要素２１０により端末装置２００からナビサーバ１００に送信される（図２／矢印１５参照）。
【００６１】
これに応じて、ナビサーバ１００では、第１支援演算処理要素１１０により「第２スポット群」が抽出される（図２／ＳＴＥＰ１０６）。たとえば、車両３の現在位置ｐ１に換えて、ユーザの入力した出発位置ｐ１´に基づき、出発位置ｐ１´及びそれぞれの目的地候補の位置ｐ２を結ぶ予測移動所要時間、移動距離、移動料金（道路使用料金）若しくは予測消費燃料又はこれらの最小値が移動コストとして計算される。その上で、移動コストが指定範囲内にあるという第２検索条件を満たす属性を有するスポットが「第２スポット群」が抽出される。第１支援演算処理要素１１０により、当該第２スポット群がナビサーバ１００から端末装置３００に送信される（図２／矢印１６参照）。
【００６２】
これに応じて、端末装置２００では、端末出力装置２０２に「第２スポット群」が表示される（図２／ＳＴＥＰ２１０）。なお、第２スポット群の端末装置２００における表示形態は、ナビ装置３００における表示形態（図３（ｂ）参照）と異なっていてもよい。
【００６３】
そして、ナビサーバ１００がナビ装置３００に当該第２スポット群のデータを送信することの可否選択ボタンが端末出力装置２０２に表示され、端末演算処理要素２１０により当該可否が判定される（図２／ＳＴＥＰ２１２）。
【００６４】
当該送信が許可された場合（図２／ＳＴＥＰ２１２‥ＹＥＳ）、端末演算処理要素２１０により、第２スポット群のデータ送信許可を示す指定信号が端末装置２００からナビサーバ１００に送信される。これに応じて、ナビサーバ１００の第２支援演算処理要素１２０により、当該第２スポット群のデータがナビサーバ１００からナビ装置３００に送信される。
【００６５】
なお、当該送信が許可されなかった場合、以降の処理の実行が禁止されるが、当該第２スポット群を保存しておいて、事後的に再度送信許可を行うことができるように構成してもよい。
【００６６】
さらに、ナビ装置３００に入力された第１検索条件に応じて、第１スポット群が抽出されてもよい。具体的には、ナビ装置３００の認証処理に成功した一方、送信許可を示す指定の信号が端末装置２００からナビサーバ１００に送信されていなかった場合（図２／ＳＴＥＰ１０４‥ＮＯ、矢印２５参照）、ナビ装置３００において第１検索条件が入力される（図２／ＳＴＥＰ３０２）。第１検索条件は、端末演算処理要素２１０により端末装置２００からナビサーバ１００に送信される（図２／矢印２６参照）。
【００６７】
当該第１検索条件を受信したナビサーバ１００では、第２支援演算処理要素１２０により「第１検索条件」を満たす属性を有するスポットが「第１スポット群」として抽出される（図２／ＳＴＥＰ１０２）。そして、第２支援演算処理要素１２０により、当該第１スポット群のデータがナビサーバ１００からナビ装置３００に送信される（図２／矢印２７参照）。
【００６８】
第１スポット群が抽出されなくてもよい。具体的には、第１検索条件が、端末演算処理要素２１０により端末装置２００からナビサーバ１００を介してナビ装置３００に送信される。そして、第２検索条件の入力に応じて、ナビサーバ１００において第１検索条件を満たす属性と、第２検索条件を満たす属性とを有するスポットが第２スポット群として抽出される。ナビ装置３００において第１検索条件が入力される場合には、第１検索条件および第２検索条件が同時に入力されてもよい。
【００６９】
（本発明のナビシステムの作用効果）
本実施態様のナビシステムによれば、複数のスポットから第２スポット群を抽出するための検索条件の一部（第１検索条件）が端末装置２００を通じて設定される（図２／ＳＴＥＰ２０２参照）。
【００７０】
このため、すべての検索条件がナビ装置３００に入力される場合と比較して、ナビ装置３００における検索条件の入力の負担が軽減される。すなわち、ユーザはナビ装置３００において「キーワード」「エリア」「ジャンル」「予算」および「シーン」などの第１検索条件の全部（図３（ａ）参照）を入力しなくても、第２スポット群の検索結果を取得することができる。
【００７１】
なお、端末装置２００における入力操作は、パソコン、携帯電話機、ＰＤＡ等のキーボード、タッチパネルおよびマウスポインティング装置等により実行される。その一方、ナビ装置３００における入力操作は、プルダウンメニューの選択およびメニューの選択のためのジョグダイヤルおよびボタンにより実行される。これにより、ユーザにとって端末装置２００の入力操作が比較的容易である場合、すべての検索条件がナビ装置３００に入力される場合と比較して、ナビ装置３００における検索条件の入力の負担が軽減される。
【００７２】
その一方、複数のスポットから第２スポット群を抽出するためのその他の検索条件（第２検索条件）がナビ装置３００を通じて設定される（図２／ＳＴＥＰ３０６参照）。ナビ装置３００に付属する（又は構成要素としての）位置測定装置によって計測された当該ナビ装置３００の現在位置に加えて、ナビ装置３００においてユーザにより設定された当該現在位置を基準とした検索条件が第２検索条件としてナビ装置３００に入力されうる。
【００７３】
このため、すべての検索条件が端末装置２００に入力される場合と比較して、ナビ装置３００を利用するユーザの現在位置、天候、気温等の因子の変化に応じて、検索条件が流動的に設定されうる。
【００７４】
その結果、ナビ装置３００におけるスポット抽出の利便性の向上を図ることができる。
【符号の説明】
【００７５】
１００‥ナビサーバ、１１０‥第１支援演算処理要素、１２０‥第２支援演算処理要素、２００‥端末装置、３００‥ナビ装置。
【図１】
2011175370.tif 000003
【図２】
2011175370.tif 000004
【図３】
2011175370.tif 000005